(57)【要約】【課題】  実物の犬と変わらない感触と外観を有し、はさみやバリカンの切れが良く、取り扱い・作製が簡単で練習の効果が遺憾なく発揮されるトリミングドッグウィッグを提供すること。【解決手段】  尻尾を差し込み式とし、前後の両足が胴体に枢着されて前後に可動でき且つ着脱できるようにした犬型本体と、犬型本体の外面に被着される実物の毛皮からなることを特徴とする。【選択図】図１
0003131008.tif 000002
【実用新案登録請求の範囲】
【請求項１】
尻尾を差し込み式とし、前後の両足が胴体に枢着されて前後に可動でき且つ着脱できるようにした犬型本体と、該犬型本体の外面に被着される実物の毛皮からなることを特徴とするトリミングドッグウィッグ。
【請求項２】
犬型本体が、合成樹脂等を素材とする内部を空洞とした一体形成物であることを特徴とする請求項１記載のトリミングドッグウィッグ。
【請求項３】
両足は上下の部分からなり、接合個所に設けた軸部を支点として下部が前後に可動できることを特徴とする請求項１又は２記載のトリミングドッグウィッグ。
【考案の詳細な説明】
【技術分野】
【０００１】  本考案は、実物犬同様にカット練習ができるトリミングドッグウィッグに関する。
【背景技術】
【０００２】  トリマーや練習生等のカット技術を向上させるための対象として実物の犬を用いる従来の手法に代わり、生体を傷つける危険性がなく安心して使用のできるドッグウィッグが提案されている（例えば特許文献１及び特許文献２参照）。
【特許文献１】特開２００６−３４３５０７号公報
【特許文献２】特開２００５−３１６０３号公報
【考案の開示】
【考案が解決しようとする課題】
【０００３】  特許文献１に記載された技術は、外装布を取り替えるだけで何度でもカット練習をすることができ且つ足先部を取り替えるだけで何度でも爪切り練習をすることができるとしたもので、そのために動物や人工の毛が植毛された外装布を備え、外装布は型本体の外面に着脱可能に設けられ、また四肢の先端部に模擬血液が充填された爪が設けられた足先部が着脱可能に備えられていることを主旨としている。この技術は外装布を着脱可能としたことで何度でもカット練習ができるとしているが、事ほど左様にカット練習がたやすくできるものではない。元来動物の外皮は当然ながら毛が皮膜と一体となっているところ、人工的な外装布でこれに相当するものを製作するには相当の労力と費用を要することは勿論植毛手段によって形成された外装布自体動物の毛皮とは異質なものであり、また使用済みの外装布を取り外して新たな外装布を取り付けるという作業も容易なものではない。而して外装布を取り付ける型本体の内部にはいくつかのパーツで構成された芯部材が配置されており、これらの製作にもそれなりの作業手数がかかることが理解される。すなわちこの従来技術は型本体が高価となるため必然外装布を着脱可能として型本体の長期にわたる継続的使用を所期したものと考えられるが、むしろ前記したように着脱可能な外装布自体に取り付け手数がかかるという矛盾を有している。【０００４】  特許文献２に記載された技術は、生体同様の臨場感をもってカット練習ができることを特徴とし、そのために犬型本体の外面に、所定の長さを有する長毛と産毛に相当する短毛を交互に配列して密生させた布地を被せるという手法を採っている。この技術は外観上実物に近似してはいるが、布地の上に人工毛を植毛するものであるからそれなりの手数を要するとともに毛自体が本物ではなく、したがって手触り感に劣るとともに合成繊維等の素材は油分を含んでいるためカットしづらく、バリカンやはさみの刃先が欠けたり切れ味が劣化するなどの問題点があった。【０００５】  本考案はこのような従来の諸不利に鑑みて提案されたものであり、その目的とするところは、実物と同様の感触があり、バリカンやはさみ入れ作業がスムースに行われ、それらの刃こぼれを生じることもなくカット練習の能率アップが所期され、取り扱いも容易なトリミングドッグウィッグを提供しようとするものである。
【課題を解決するための手段】
【０００６】  すなわち本考案は、尻尾を差し込み式とし、前後の両足が胴体に枢着されて前後に可動でき且つ着脱できるようにした犬型本体と、該犬型本体の外面に被着される実物の毛皮からなることを特徴としている。【０００７】  前記の犬型本体は、合成樹脂等を素材とする内部を空洞とした一体形成物であることを特徴とする。【０００８】  犬型本体の両足は上部と下部からなり、接合個所に設けた軸部を支点として下部が前後に可動できることを特徴とする。
【考案の効果】
【０００９】  本考案は犬型本体の外面に被着したものが実物の毛皮であり、人工毛と異なって不自然な油分などを含まないためはさみやバリカンの通りが良く、刃こぼれするようなこともないため長く使用でき、なかんずく動物の毛皮をそのまま犬型本体に被せるため感触も実物と変わりがなく、実際のトリミング同様に違和感なくカット練習ができて技術の確実な向上が所期される。【００１０】  犬型本体を合成樹脂などの一体形成物としたことで型により容易に作製され、胴体以外のパーツも尻尾と前後の両足ですむため内部に複雑な芯材を配置する必要もなく、またカット練習の終了した胴体は廃棄処分にすることで面倒な人工毛の植毛や外装布の交換などの手数も省け、畢竟すると従来品に比べ安価に提供できる実益もある。【００１１】  尻尾は抜き差しできるように差し込み式であり、前後の両足は枢着部より簡単に取り外し取り付けができるため夫々新規のものと交換ができて複数回の繰り返し練習ができ、更に胴体に取り付けられている前後の両足は枢着部を支点として可動できるので、あたかも実物の犬の足を持ち上げる要領で足の後ろ側をカット練習するなどに都合がよい。また両足を上下の部分で構成し、接合個所より下部足を可動できるようにすることで足毛のカット練習が一層細部にわたって実行できる。
【考案を実施するための最良の形態】
【００１２】  図面に基づき本考案を説明すると、図１において１０はプラスチック合成樹脂等を素材とする犬型本体で成型により得られる。犬型本体１０は内部を空洞とするが、場合により適度の重量を持ち本体１０を安定させるための別体（不図示）を内蔵させたり、胴体１１の中程部下面に支持棒２０を固定するための挿孔１２を形成することができる。支持棒２０によりカット練習時の犬型本体１０の妄動を防止できる。【００１３】  犬型本体１０には胴体１１に尻尾１４を取り付ける。この尻尾１４は胴体１１に差し込み式に設けるもので、胴体１１に形成した小孔１３内に尻尾１４の細径部１４ａを挿着するが、引っ張ることにより細径部１４ａは小孔１３から脱出させることができ、したがって用済みのものを新しいものと交換することができる。【００１４】  １５は前後の両足で、上端が胴体１１に枢着され、この枢着部１６を支点として両足１５は前後に可動できる。そして枢着部１６の軸を取り外すことによって両足１５を胴体１１から取り出すことができ、用済みのものを新たなものと交換できる。【００１５】  両足１５を上部１５ａと下部１５ｂで構成し両方を相互に接合してその個所を軸で止めると、軸部１７を支点として下部１５ｂを前後に可動でき、したがって足の細部まで実際の犬を扱う要領で動かすことができる。【００１６】  図２は上記の犬型本体１０の外面全体に実物の毛皮３０を被着し、目や鼻などの部品を取り付けて本物の犬同様の体裁に仕上げた例を示す。毛皮３０はカットに向くものであれば種類に限定はなく、例えばラム、マトンなどは当然として白色、グレイなどの染毛に向くタイプのものはより好ましい。従来の人工毛である合成繊維などの毛糸素材はきれいに染め上げることが難しいため、どうしても模造品であることが外見されるとともに、油分を含むためバリカンやはさみの切れ味が鈍くなるなどの諸不利を有しているところ、このような実物の毛皮３０を使用することで自然な染毛を形成することが可能となり、はさみなどを入れてもカットに抵抗感がなく切れ味が劣化する恐れもないため使用器具の寿命を保つことのできる副次的効果もある。【００１７】  毛皮３０を被せたことで外観はもちろん感触も実物同様であるため、技術習得が確実となり、更にはカット練習者の興趣感を満足させて学習意欲を増進させることにも通じる利点がある。なお毛皮３０は胴体１１′、尻尾１４′、両足１５′ごとに被着されるが、それらは全面が毛で覆われているため外からは全く区別されず、あたかも剥製のような臨場感があって従来品とは異なる優れた外観を呈する。【００１８】  毛皮３０は動物の体から皮膜ごと除去したものであるから、従来のように別体の布材を必要とせず、直接犬型本体１０に接着剤を用いて貼着することができ、胴体のカット練習が終わって用済みとなった後はそのまま廃棄処分にすることで面倒な張り替え作業等を省略できる。なお犬型本体１０の両足１５が可動できるため足の細部にわたって実物同様にカットができ、技術習得が遺漏なく行えるものである。【００１９】  図示したものは一例であるから、犬型本体１０の形状・大きさ・材料、尻尾１４、両足１５の形状及び取付手段等も特に限定はなく、また毛皮３０の種類・色��い・毛の長さ、更には犬型本体１０への被着方法なども本考案の目的効果を奏する範囲において自由に選択できること勿論である。
【図面の簡単な説明】
【００２０】
【図１】（ａ）は本案に使用する犬型本体の外観図であり、（ｂ）は足部分の接合状態を示す側面図である。
【図２】犬型本体に実物の毛皮を被着した外観図である。
【符号の説明】
【００２１】  １０    犬型本体
１１    胴体
１４    尻尾
１５    両足
１５ａ  上部
１５ｂ  下部
３０    毛皮
【図１】
0003131008.tif 000003
【図２】
0003131008.tif 000004